(57)【要約】【課題】周囲にいる人物に不快感を与えずに、他の電子機器を遠隔操作可能な電子機器、テレビジョン装置、ロボット装置を提供する。【解決手段】電子機器とは異なる第１機器（エアコン５０で例示）の状態を変更するための指示を、第１機器とは異なる第２機器（携帯端末５２で例示）から受け付ける通信部（無線通信部１２で例示）と、第１機器の状態を変更することに対する了承を得るためのメッセージを、電子機器の周囲にいる人物に向けて発話させる音声制御部２１と、第１機器の状態を変更することに対する了承を得たことに基づいて第１機器の状態を変更する指示部２２とを有する。音声制御部は、電子機器の状況に応じて、人物への発話タイミング、もしくは人物への発話内容、または人物への発話形態の少なくとも１つを変更する。【選択図】図１
2019128483.tif 000002
【特許請求の範囲】
【請求項１】
電子機器であって、
該電子機器とは異なる第１機器の状態を変更するための指示を、該第１機器とは異なる第２機器から受け付ける通信部と、
前記第１機器の状態を変更することに対する了承を得るためのメッセージを、前記電子機器の周囲にいる人物に向けて発話させる音声制御部と、
前記第１機器の状態を変更することに対する了承を得たことに基づいて該第１機器の状態を変更する指示部とを有し、
前記音声制御部は、前記電子機器の状況に応じて、前記人物への発話タイミング、もしくは前記人物への発話内容、または前記人物への発話形態の少なくとも１つを変更することを特徴とする電子機器。
【請求項２】
請求項１に記載の電子機器であって、
前記発話内容の変更は、文章数の変更、文章中の単語数の変更、単語の変更のいずれかであることを特徴とする電子機器。
【請求項３】
請求項１に記載の電子機器であって、
前記発話形態の変更は、発話ピッチの変更、発話間のブランク時間の変更、発話の音程の変更のいずれかであることを特徴とする電子機器。
【請求項４】
請求項１から３のいずれか一項に記載の電子機器であって、
該電子機器の状況を検出する状況検出部をさらに有することを特徴とする電子機器。
【請求項５】
請求項１から３のいずれか一項に記載の電子機器を搭載したテレビジョン装置。
【請求項６】
請求項１から３のいずれか一項に記載の電子機器を搭載したロボット装置。
【発明の詳細な説明】
【技術分野】
【０００１】
本発明は、電子機器、テレビジョン装置、ロボット装置に関し、詳細には、周囲の電子機器の状態を変更することに対する了承を得るためのメッセージを発話可能な電子機器、テレビジョン装置、ロボット装置に関する。
【背景技術】
【０００２】
ホームネットワーク、クラウドコンピューティングなどのネット環境の普及に加え、電子機器自体がネット接続・連携機能を有するＩｏＴ（Ｉｎｔｅｒｎｅｔ  ｏｆ  Ｔｈｉｎｇｓ）、Ｍ２Ｍ（Ｍａｃｈｉｎｅ  ｔｏ  Ｍａｃｈｉｎｅ）が拡がりつつある。例えば、特許文献１には、放送番組の視聴を妨げないタイミングで、メールの着信をユーザに知らせる技術が開示されている。また、特許文献２には、ユーザから離れた位置の電子機器のジョブ完了を、ユーザに近い位置の電子機器からユーザに知らせる技術が開示されている。
【先行技術文献】
【特許文献】
【０００３】
【特許文献１】特開２００６−２０００９号公報
【特許文献２】特許第６０１６３７１号
【発明の概要】
【発明が解決しようとする課題】
【０００４】
ところで、近年では、周囲の人物とコミュニケーションを取ったり、周囲の電子機器（例えば、エアコンディショナー（以下、エアコンと称する））を遠隔操作したりするロボット装置が普及しつつある。当該ロボット装置は、エアコンに指示を送ってエアコンの状態（例えば設定温度）を変更する。このとき、ロボット装置が、設定温度を変更することに対する了承を得るためのメッセージを、エアコンの周囲にいる人物の邪魔になるタイミングで発話すると、その人物を驚かせて不快にさせることがある。そのため、当該了承を得るためのメッセージを発話する際に、周囲にいる人物に不快感を与えないロボット装置が望まれている。
また、特許文献１には、メールでメッセージを送ることが開示されているが、メールは、開けなければメッセージ内容が分からないため、メッセージ内容を速やかに伝えにくいものである。
【０００５】
本発明は、上述のような実情に鑑みてなされたもので、周囲にいる人物に不快感を与えずに、他の電子機器を遠隔操作可能な電子機器、テレビジョン装置、ロボット装置を提供することを目的とする。
【課題を解決するための手段】
【０００６】
上記課題を解決するために、本発明の第１の技術手段は、電子機器であって、該電子機器とは異なる第１機器の状態を変更するための指示を、該第１機器とは異なる第２機器から受け付ける通信部と、前記第１機器の状態を変更することに対する了承を得るためのメッセージを、前記電子機器の周囲にいる人物に向けて発話させる音声制御部と、前記第１機器の状態を変更することに対する了承を得たことに基づいて該第１機器の状態を変更する指示部とを有し、前記音声制御部は、前記電子機器の状況に応じて、前記人物への発話タイミング、もしくは前記人物への発話内容、または前記人物への発話形態の少なくとも１つを変更することを特徴としたものである。
【０００７】
第２の技術手段は、第１の技術手段において、前記発話内容の変更は、文章数の変更、文章中の単語数の変更、単語の変更のいずれかであることを特徴としたものである。
【０００８】
第３の技術手段は、第１の技術手段において、前記発話形態の変更は、発話ピッチの変更、発話間のブランク時間の変更、発話の音程の変更のいずれかであることを特徴としたものである。
【０００９】
第４の技術手段は、第１から第３のいずれか１の技術手段において、該電子機器の状況を検出する状況検出部をさらに有することを特徴としたものである。
【００１０】
第５の技術手段は、第１から第３のいずれか１の技術手段を搭載したテレビジョン装置であることを特徴としたものである。
【００１１】
第６の技術手段は、第１から第３のいずれか１の技術手段を搭載したロボット装置であることを特徴としたものである。
【発明の効果】
【００１２】
本発明によれば、周囲にいる人物に不快感を与えずに、他の電子機器を遠隔操作可能な電子機器を提供することができる。
【図面の簡単な説明】
【００１３】
【図１】本発明に係る電子機器の実施形態の構成例を示すブロック図である。
【図２】図１のマイコン、映像処理部を説明するための図である。
【図３】実施例１の動作フローチャートである。
【図４】実施例２の動作フローチャートである。
【図５】実施例３の動作フローチャートである。
【図６】実施例４の動作フローチャートである。
【図７】実施例５の動作フローチャートである。
【図８】実施例６の動作フローチャートである。
【発明を実施するための形態】
【００１４】
以下、図面に基づいて本発明の電子機器、テレビジョン装置、ロボット装置の実施の形態を詳細に説明する。図１は、本発明に係る電子機器の実施形態の構成例を示すブロック図であり、図２は、図１のマイコン、映像処理部を説明するための図である。
図１を参照すると、本実施形態の電子機器は、例えば、宅内のテレビジョン装置１に搭載されており、受信部２、外部情報入力部３、切替部４、無線通信部１２を有している。
【００１５】
受信部２は、アンテナ２ａを通して受信されたテレビジョン放送信号を検波し、映像信号と音声信号を切替部４に出力する。外部情報入力部３は、外部入力機器（例えばＢＤ（Ｂｌｕ−ｒａｙ（登録商標）Ｄｉｓｃ）プレーヤー）５４から映像音声情報を入力するための外部入力端子や外部メモリ用スロットを有し、入力された映像音声情報を切替部４に出力する。
【００１６】
無線通信部１２は、インターネット５３を介して受信されたＶＯＤ（ビデオ・オン・デマンド）のデータを切替部４に出力する。なお、無線通信部１２が本発明の通信部に相当する。無線通信部１２は、例えば、Ｗｉｆｉ（Ｗｉｒｅｌｅｓｓ  Ｆｉｄｅｌｉｔｙ）（登録商標）、Ｂｌｕｅｔｏｏｔｈ（登録商標）などを利用可能である。
切替部４は、マイコン９からの入力切替信号に基づいて、放送信号、映像音声情報、ＶＯＤのデータを選択可能に構成され、映像情報を映像処理部５に、音声情報を音声処理部６にそれぞれ出力する。
【００１７】
映像処理部５は、映像情報を信号処理して表示部７（例えば、液晶表示装置、有機ＥＬ表示装置などの表示装置）に出力する。音声処理部６は、音声情報を信号処理してスピーカ８に出力する。
マイコン９には、リモートコントローラ（以下、リモコンと称する）５１の操作信号が受光部１１を経由して入力可能である。また、ユーザがリモコン５１の例えばメニュー画面を操作して、ＯＳＤ（オン・スクリーン・ディスプレイ）表示を選択した場合、マイコン９は、ＯＳＤ表示のデータを記憶部１３から呼び出して映像処理部５に出力する。
【００１８】
また、マイコン９は、ＤＳＰ（Ｄｉｇｉｔａｌ  Ｓｉｇｎａｌ  Ｐｒｏｃｅｓｓｏｒ）１０に接続されており、マイク５５で受け付けた音声データを分析可能である。
ここで、テレビジョン装置１は、同じ宅内のエアコンディショナー５０（以下、エアコンと称する）を、例えば宅外にいる携帯端末５２からの指示に基づいて遠隔操作することができる。なお、エアコン５０が本発明の電子機器とは異なる第１機器に相当し、携帯端末５２が本発明の第１機器とは異なる第２機器に相当する。
【００１９】
詳しくは、マイコン９が、無線通信部１２を介して、携帯端末５２からエアコン５０の状態（例えば設定温度）を変更するための指示を受け付けた場合、エアコン５０の状態を変更することに対する了承を得るためのメッセージを、例えばテレビジョン装置１の周囲にいる人物（テレビジョン装置１の視聴者）に向けてスピーカ８から発話させる。そして、マイコン９は、エアコン５０の状態を変更することに対する了承を得た場合に、エアコン５０の状態を変更する信号をエアコン５０に出力させる。
【００２０】
ただし、エアコン５０の状態を変更することに対する了承を得るためのメッセージは、テレビジョン装置１の状況に応じて変更される。
具体的には、図２に示すように、マイコン９は、状況検出部２０、音声制御部２１、指示部２２を有する。
状況検出部２０は、ＶＯＤ検出部２０ａ、ユーザ操作検出部２０ｂ、放送検出部２０ｃ、外部入力検出部２０ｄ、環境音検出部２０ｅ、ＯＳＤ検出部２０ｆを有する。なお、図２では、状況検出部２０をマイコン９に設けた例で説明した。しかし、本発明は、状況検出部２０をマイコン９に設けずに、テレビジョン装置１の状況を検出できる場合にも適用可能である。
【００２１】
ＶＯＤ検出部２０ａ、放送検出部２０ｃ、外部入力検出部２０ｄ、ＯＳＤ検出部２０ｆは、例えば、映像処理部５のＶＯＤ表示部５ａ、放送表示部５ｂ、外部入力表示部５ｃ、ＯＳＤ表示部５ｄからの各信号で、ＶＯＤ状態、放送状態、外部入力状態、ＯＳＤ状態をそれぞれ検出する。ユーザ操作検出部２０ｂは、例えば、受光部１１からの信号でユーザ操作状態を検出する。環境音検出部２０ｅは、ＤＳＰ１０からの信号で環境音状態を検出する。状況検出部２０の検出結果は音声制御部２１に出力される。
【００２２】
なお、記憶部１３には、テレビジョン装置１自体の状況、例えば、ＶＯＤコンテンツを視聴中である、ＶＯＤコンテンツの再生を一時停止した時である、外部コンテンツを視聴中である、外部コンテンツの映像のチャプターとチャプターの切替わる時である、テレビ放送を視聴中である、リモコン５１で音量を変更した時である、オフタイマーによるＳｐｏｔ  ＯＳＤ表示をした時である等の条件や、テレビジョン装置１の周辺の状況、例えば、テレビジョン装置１の周囲のノイズ音が大きい時である等の条件を特定したテーブルが記憶されている。
【００２３】
そして、音声制御部２１は、例えば、状況検出部２０の検出結果とテーブルを照らし合わせて、テレビジョン装置１の視聴者への発話タイミング、もしくはこの視聴者への発話内容、またはこの視聴者への発話形態の少なくとも１つを変更可能である。
指示部２２は、テレビジョン装置１の視聴者からエアコン５０の状態を変更することに対する了承を得た場合、エアコン５０の状態を変更する信号をエアコン５０に出力する。
【００２４】
なお、図１では、電子機器を搭載したテレビジョン装置１の例を挙げて説明した。しかし、本発明はこの例に限定されない。例えば、電子機器を搭載した、例えば自走可能なロボット装置であってもよい。あるいは、テレビジョン装置に接続されたロボット装置であってもよい。この場合のロボット装置は、マイクやスピーカを有し、マイクからの音声データをテレビジョン装置に出力し、テレビジョン装置からメッセージを受け取ってスピーカで発話してもよい。
【００２５】
また、エアコン５０の状態を変更する例を挙げて説明したが、本発明の第１機器は、例えば、照明器具、空気清浄機、電子レンジ、冷蔵庫、洗濯機、掃除機などの遠隔操作可能な電子機器であってもよい。また、宅外の携帯端末５２から指示する例で説明したが、宅内の携帯端末５２から指示してもよい。さらに、本発明の第２機器は、例えば、スマートフォン、タブレット端末、パソコンなどであってもよい。
【００２６】
以下、実施例１〜４では、テレビジョン装置１の視聴者への発話タイミングを変更する例を説明する。また、実施例５では、テレビジョン装置１の視聴者への発話内容を変更する例を説明し、実施例６では、テレビジョン装置１の視聴者への発話形態を変更する例を説明する。
【００２７】
（実施例１）
図３は、実施例１の動作フローチャートである。
まず、マイコン９が、宅外の携帯端末５２からエアコン５０の状態を変更する指示があったか否かを判別する（ステップＳ１）。エアコン５０の状態を変更する指示があるまでは待機するのに対し、例えば、携帯端末５２からエアコン５０の設定温度を２５℃に変更する指示があったと判定した場合（ステップＳ１のＹＥＳ）、音声制御部２１がＶＯＤコンテンツを視聴中か否かを判別する（ステップＳ２）。
【００２８】
ＶＯＤコンテンツの視聴中は、例えば、映像処理部５のＶＯＤ表示部５ａからの信号によって、状況検出部２０のＶＯＤ検出部２０ａで検出される。音声制御部２１が、ＶＯＤコンテンツを視聴中であると判定した場合（ステップＳ２のＹＥＳ）、テレビジョン装置１の視聴者の邪魔になるタイミングか否かを判別する（ステップＳ３）。視聴者の邪魔になるタイミングは、例えば、ＶＯＤ表示部５ａからの信号を用いてＶＯＤ検出部２０ａで検出される。
【００２９】
ＶＯＤ表示部５ａからの信号によって、ＶＯＤコンテンツの再生を一時停止するまでは待機するのに対し、音声制御部２１が、ＶＯＤコンテンツの再生を一時停止した時であると判定した場合（ステップＳ３のＹＥＳ）、視聴者がメッセージを受け入れやすい状況であるとし、了承を得るためのメッセージを発話させる。
これにより、スピーカ８は「宅外の携帯端末５２からエアコン５０の設定温度を２５℃に変更する指示がありました。設定温度を２５℃に変更しても構いませんか。」という、了承を得るためのメッセージを視聴者に発話する（ステップＳ４）。
【００３０】
一方、ＶＯＤコンテンツを視聴中ではないと判定した場合（ステップＳ２のＮＯ）、音声制御部２１は、視聴者がメッセージを受け入れやすい状況であるとし、了承を得るためのメッセージをスピーカ８から速やかに発話させる。
なお、実施例１では、ＶＯＤコンテンツの再生を一時停止した例を挙げて説明したが、ＶＯＤコンテンツの再生が最後まで終了した場合を、視聴者がメッセージを受け入れやすい状況であると判定してもよい。
【００３１】
（実施例２）
図４は、実施例２の動作フローチャートである。
マイコン９が、例えば、携帯端末５２からエアコン５０の設定温度を２５℃に変更する指示があったと判定した場合（ステップＳ１１のＹＥＳ）、音声制御部２１が外部コンテンツを視聴中か否かを判別する（ステップＳ１２）。
外部コンテンツの視聴中は、例えば、映像処理部５の外部入力表示部５ｃからの信号によって、状況検出部２０の外部入力検出部２０ｄで検出される。音声制御部２１が、外部コンテンツを視聴中であると判定した場合（ステップＳ１２のＹＥＳ）、テレビジョン装置１の視聴者の邪魔になるタイミングか否かを判別する（ステップＳ１３）。視聴者の邪魔になるタイミングは、例えば、外部入力表示部５ｃからの信号を用いて外部入力検出部２０ｄで検出される。
【００３２】
外部入力表示部５ｃからの信号によって、例えば、外部コンテンツの映像のチャプターとチャプターの切替わる時までは待機するのに対し、音声制御部２１が、外部コンテンツの映像のチャプターとチャプターの切替わる時であると判定した場合（ステップＳ１３のＹＥＳ）、了承を得るためのメッセージを発話させる。
これにより、スピーカ８は「宅外の携帯端末５２からエアコン５０の設定温度を２５℃に変更する指示がありました。設定温度を２５℃に変更しても構いませんか。」という、了承を得るためのメッセージを視聴者に発話する（ステップＳ１４）。
【００３３】
（実施例３）
図５は、実施例３の動作フローチャートである。
マイコン９が、例えば、携帯端末５２からエアコン５０の設定温度を２５℃に変更する指示があったと判定した場合（ステップＳ２１のＹＥＳ）、音声制御部２１がテレビ放送を視聴中か否かを判別する（ステップＳ２２）。
【００３４】
テレビ放送の視聴中は、例えば、映像処理部５の放送表示部５ｂからの信号によって、状況検出部２０の放送検出部２０ｃで検出される。音声制御部２１が、テレビ放送を視聴中であると判定した場合（ステップＳ２２のＹＥＳ）、テレビジョン装置１の視聴者の邪魔になるタイミングか否かを判別する（ステップＳ２３）。視聴者の邪魔になるタイミングは、例えば、リモコン５１からの信号を用いて状況検出部２０のユーザ操作検出部２０ｂで検出される。
【００３５】
ユーザがリモコン５１で操作するまでは待機するのに対し、音声制御部２が、例えば、リモコン５１で音量を変更した時であると判定した場合（ステップＳ２３のＹＥＳ）、了承を得るためのメッセージを発話させる。
これにより、スピーカ８は「宅外の携帯端末５２からエアコン５０の設定温度を２５℃に変更する指示がありました。設定温度を２５℃に変更しても構いませんか。」という、了承を得るためのメッセージを視聴者に発話する（ステップＳ２４）。
【００３６】
なお、実施例３では、リモコン５１で音量を変更した例を挙げて説明した。しかし、リモコン５１で入力切替した場合や、早送りしている場合に、視聴者がメッセージを受け入れやすい状況であると判定してもよい。また、テレビジョン装置本体の操作部（図示省略）を操作した場合に、視聴者がメッセージを受け入れやすい状況であると判定することも可能である。また、テレビ放送を視聴中の例で説明したが、ＶＯＤコンテンツや外部コンテンツの再生中であってもよい。
【００３７】
（実施例４）
図６は、実施例４の動作フローチャートである。
マイコン９が、例えば、携帯端末５２からエアコン５０の設定温度を２５℃に変更する指示があったと判定した場合（ステップＳ３１のＹＥＳ）、音声制御部２１がテレビ放送を視聴中か否かを判別する（ステップＳ３２）。
【００３８】
音声制御部２１が、映像処理部５の放送表示部５ｂからの信号によって、テレビ放送を視聴中であると判定した場合（ステップＳ３２のＹＥＳ）、テレビジョン装置１の視聴者の邪魔になるタイミングか否かを判別する（ステップＳ３３）。視聴者の邪魔になるタイミングは、例えば、映像処理部５のＯＳＤ表示部５ｄからの信号を用いて状況検出部２０のＯＳＤ検出部２０ｆで検出される。
【００３９】
音声制御部２１が、例えば、テレビジョン装置１のオフタイマーによるＳｐｏｔ  ＯＳＤ表示があったと判定した場合（ステップＳ３３のＹＥＳ）、了承を得るためのメッセージを発話させる。
これにより、スピーカ８は「宅外の携帯端末５２からエアコン５０の設定温度を２５℃に変更する指示がありました。設定温度を２５℃に変更しても構いませんか。」という、了承を得るためのメッセージを視聴者に発話する（ステップＳ３４）。
【００４０】
なお、実施例４では、テレビジョン装置１のオフタイマーを表示した例を挙げて説明したが、視聴に関する処理完了時や、テレビジョン装置１の温度異常警告のＳｐｏｔ  ＯＳＤ表示のようなイベントが発生した場合に、視聴者がメッセージを受け入れやすい状況であると判定してもよい。
【００４１】
このように、当該了承を得るためのメッセージを発話するので、メッセージ内容をテレビジョン装置１の視聴者に速やかに伝えることができる。
そして、実施例１−４で説明したように、テレビジョン装置１の状況に応じて発話タイミングを変更することから、当該了承を得るためのメッセージを発話する際に、視聴者に不快感を与えないテレビジョン装置１を提供することができる。
【００４２】
（実施例５）
図７は、実施例５の動作フローチャートである。
マイコン９が、例えば、携帯端末５２からエアコン５０の設定温度を２５℃に変更する指示があったと判定した場合（ステップＳ４１のＹＥＳ）、音声制御部２１がテレビ放送を視聴中か否かを判別する（ステップＳ４２）。
【００４３】
記憶部１３には、了承を得るためのメッセージとして、長めのメッセージ「宅外の携帯端末５２からエアコン５０の設定温度を２５℃に変更する指示がありました。設定温度を２５℃に変更しても構いませんか。」と、短めのメッセージ「エアコン５０の設定温度を２５℃に変更しても構いませんか。」が記憶されており、音声制御部２１が、映像処理部５の放送表示部５ｂからの信号によって、テレビ放送を視聴中であると判定した場合（ステップＳ４２のＹＥＳ）、長めのメッセージは視聴者の邪魔になるため、了承を得るための短めのメッセージを発話させる。
【００４４】
これにより、スピーカ８は「エアコン５０の設定温度を２５℃に変更しても構いませんか。」という、短めのメッセージを視聴者に発話する（ステップＳ４３）。
一方、音声制御部２１が、テレビ放送を視聴中ではないと判定した場合（ステップＳ４２のＮＯ）、視聴者がメッセージを受け入れやすい状況であるとし、了承を得るための長めのメッセージを発話させる。この場合、スピーカ８は「宅外の携帯端末５２からエアコン５０の設定温度を２５℃に変更する指示がありました。設定温度を２５℃に変更しても構いませんか。」という、長めのメッセージを視聴者に発話する（ステップＳ４４）。
【００４５】
なお、実施例５では、文章中の単語数を増減した例を挙げて説明したが、発話時間を増減してもよい。あるいは、了承を得るためのメッセージとして、別の文章をさらに追加するような、文章数の変更であってもよい。または、文章中の単語を変更することにより、例えばテレビ放送を視聴中であるか否かに応じて、異なる内容を発話することも可能である。
実施例５のように、テレビジョン装置１の状況に応じて発話内容を変更すれば、当該了承を得るためのメッセージを発話する際に、視聴者に不快感を与えないテレビジョン装置１を提供することができる。
【００４６】
（実施例６）
図８は、実施例６の動作フローチャートである。
マイコン９が、例えば、携帯端末５２からエアコン５０の設定温度を２５℃に変更する指示があったと判定した場合（ステップＳ５１のＹＥＳ）、音声制御部２１が、テレビジョン装置１の周囲のノイズ音が大きいか否かを判別する（ステップＳ５２）。
【００４７】
テレビジョン装置１の周囲のノイズ音の大きさは、例えば、ＤＳＰ１０からの信号を用いて状況検出部２０の環境音検出部２０ｅで検出される。このため、テレビジョン装置１の周囲のノイズ音も、マイク５５から取り込むことにより、本発明の電子機器の状況に相当する。
音声制御部２１が、テレビジョン装置１の周囲のノイズ音が大きい時であると判定した場合（ステップＳ５２のＹＥＳ）、小さ目の音量では視聴者に伝わり難いため、了承を得るためのメッセージを大き目の音量で発話させる。音声処理部６は、音声制御部２１からの指令によって音量を大き目に設定する。
【００４８】
これにより、スピーカ８は、大き目の音量で「宅外の携帯端末５２からエアコン５０の設定温度を２５℃に変更する指示がありました。設定温度を２５℃に変更しても構いませんか。」というメッセージを視聴者に発話する（ステップＳ５３）。
一方、音声制御部２１が、テレビジョン装置１の周囲のノイズ音が大きくないと判定した場合（ステップＳ５２のＮＯ）、小さ目の音量でも視聴者に伝わり易いため、視聴者がメッセージを受け入れやすい状況であるとし、了承を得るためのメッセージを小さ目の音量で発話させるように、音声制御部２１に指令する。
【００４９】
これにより、スピーカ８は、小さ目の音量で「宅外の携帯端末５２からエアコン５０の設定温度を２５℃に変更する指示がありました。設定温度を２５℃に変更しても構いませんか。」というメッセージを視聴者に発話する（ステップＳ５４）。
なお、実施例６では、テレビジョン装置１の周囲のノイズ音の大小に応じて音量を大小にした例を挙げて説明した。しかし、時間帯に応じて音量を大小にしてもよい。例えば、昼間は大き目の音量で発話し、深夜や早朝は小さ目の音量で発話してもよい。
【００５０】
また、音量を大小にした例を挙げて説明したが、音声の周波数を高低にしたり、発話の音程を高低にしたりしてもよい。あるいは、了承を得るためのメッセージの速度が速くなるような、発話ピッチの変更であってもよい。または、発話間のブランク時間を変更することにより、例えばテレビ放送を視聴中であるか否かに応じて、発話時間を変えることも可能である。
そして、実施例６のように、テレビジョン装置１の状況に応じて発話形態を変更すれば、当該了承を得るためのメッセージを発話する際に、視聴者に不快感を与えないテレビジョン装置１を提供することができる。
【符号の説明】
【００５１】
１…テレビジョン装置、２…受信部、２ａ…アンテナ、３…外部情報入力部、４…切替部、５…映像処理部、５ａ…ＶＯＤ表示部、５ｂ…放送表示部、５ｃ…外部入力表示部、５ｄ…ＯＳＤ表示部、６…音声処理部、７…表示部、８…スピーカ、９…マイコン、１０…ＤＳＰ、１１…受光部、１２…無線通信部、１３…記憶部、２０…状況検出部、２０ａ…ＶＯＤ検出部、２０ｂ…ユーザ操作検出部、２０ｃ…放送検出部、２０ｄ…外部入力検出部、２０ｅ…環境音検出部、２０ｆ…ＯＳＤ検出部、２１…音声制御部、２２…指示部、５０…エアコンディショナー、５１…リモートコントローラ、５２…携帯端末、５３…インターネット、５４…外部入力機器、５５…マイク。
【図１】
2019128483.tif 000003
【図２】
2019128483.tif 000004
【図３】
2019128483.tif 000005
【図４】
2019128483.tif 000006
【図５】
2019128483.tif 000007
【図６】
2019128483.tif 000008
【図７】
2019128483.tif 000009
【図８】
2019128483.tif 000010